(57)【要約】【課題】本発明は、演奏者自らの音を確認しにくい金属製または木製の管楽器に装着し演奏時の音を反射させることによって、演奏者本人の発する音を演奏者に戻し、それによって表現や音程等をより良い物とする機能を有する器具と、その製造方法を提供する。【解決手段】ベル内部において極めて小さな接点によって取付けが可能であり、本発明品の装着時に楽器を含めた全体の重量を極端に増幅させず、実際の演奏時に利用できる外観を持ち、出音の一部を反射させることで、演奏時の自分の音を確実に確認できることを特徴とする。【選択図】図５
2013076962.tif 000002
【特許請求の範囲】
【請求項１】
金管楽器、及び木管楽器のベル部分に差し込む方式による装着で、演奏者によって発せられる実音の外向き方向の音量低下、音質変化をできるだけ少なくとどめた形の反射式モニタリング演奏支援装置。
【請求項２】
演奏者による呼気やバルブ操作に応じて発する音を反射させる装置でありながら、固有共鳴振動数の変化を最小限に抑えるため楽器本体内部においての接点を小さく捉えられるよう軽量で、各楽器の音色、音程、音量を出来るだけ損なわないことを特徴とする演奏支援装置。
【請求項３】
演奏の場を問わず使用可能であり、演奏者本人のスタイルを崩さぬ為にアクリル等の透明素材、楽器本体と同じように見える金属素材、その他カスタマイズされる為の様々な素材等で作成され、表面に当たる部分には使用者による装飾が可能なように、きれいな面を持つ装置であることを特徴とする演奏支援装置。
【請求項４】
演奏者による呼気やバルブ操作に応じて発する音を、演奏者本人に無理無くスムーズに返すことを目的とした、楽器のベル部分に沿うように装着される面の部分、またその端はきれいな曲面で作成していることを特徴とする演奏支援装置。
【請求項５】
楽器の主となる出音部分に装着する本発明は、楽器内部から演奏者によって発せられる本来の実音の音色、音程、音量変化を必要に応じて解放面積の設計、調節することによって変化させる事を特徴とする演奏支援装置。
【発明の詳細な説明】
【技術分野】
【０００１】  本発明は、金属製または木製の管楽器に装着し、演奏時の音を反射させる事によって、演奏者本人の発する音の一部を演奏者に戻し、それによって表現や音程等をより良いものとする機能を有する器具と、その製造方法に関するものである。
【背景技術】
【０００２】  従来の上達させる方法としては、主に消音器やその形状をしたもので練習量をあげ、消音器内部の音を電気信号に変換させてモニタリングする仕組み（特許文献１〜４）や、木製楽器のマウスピースに接続する改造した器具（特許文献５）、マウスピースの表面加工を改善する技術（特許文献６）等がある。また、マイクに音を反射させる反響版を付ける器具がある。（特許文献７）その他には、腕、指の動きを取得する為の器具も考案されている。（特許文献８）最近では、装着することにより演奏しやすくし、音色の向上等を実感し性能が上がったように出来る器具も考案されている。（特許文献９）【０００３】従来、モニタリングをする装置といえば、ベル部分に取り付け、その装置の内部での音を増幅し、それらを電気信号に変換、ヘッドホン等を利用して確認する等であった。実際装置を取り付けた場合での演奏時において、見た目が美しくなく、出音の音色変化、音量変化が大きすぎる為、装着したままでの人前での演奏は音質特性変化を逆手にとる特殊な場合を除きあまりされてこなかった。更に、それらが引き起こす問題として、練習時の感覚と違った環境で演奏せざるを得なくなっている為に、表現が十分に発揮するには難しい事が汲み取れる。【０００４】楽器本体に装着する以外の方法として、マイク等に音響反射板を付ける手段（実用新案文献７）もあるが、演奏者の立ち位置を含めた音の入力方向を固定されてしまう為、固定マイクを使用しないマーチングバンドや、生音での演奏でのジャズ、練習等での使用での難しさ等、使用可能場所や機会が限られてしまうという問題点がある。【０００５】そこで本発明は楽器本体の耐久性を考慮し、質量を出来る限り抑えた事によりベル内部において極めて小さな接点によって取り付けが可能であること、差し込み式であること実際の演奏時に利用できる外観を持つ事、利用目的によって素材を変化させる事ができる事、出音の一部を綺麗な曲面によって反射させる事、演奏者の楽器を装飾可能かつスムーズな音の流れにする為に綺麗な面であり、演奏時の自分の音を確実に確認できる事を特徴とし、演奏の上達が早まり、アンサンブルに適した、かつパフォーマンスに優れた管楽器の演奏支援装置とその製造方法を提供する事を目的とする。
【先行技術文献】
【０００６】
【特許文献１】特開２００４−２４０３４７号公報
【特許文献２】特開２００１−２８２２３３号公報
【特許文献３】特開２００５−０８４２６５号公報
【特許文献４】特開２００８−９６４９８号公報
【特許文献５】特開平７−６４５４２号公報
【特許文献６】特開２００４−０６１５７３号公報
【特許文献７】登録実用新案公報３１４０４１２号
【特許文献８】特開２００４−３１８０３２号公報
【特許文献９】特開２００７−６５１９９号公報
【発明の概要】
【発明が解決しようとする課題】
【０００７】管楽器は電子楽器等と違い、音程等をコントロールするのに技術を要する割合が多く、楽器によって習熟具合は違うが、今回の目的になったトランペット等は、人前での演奏まで技術をもてるのは１０％程度と考えられている。自分の音を確認できるのが一番の上達の道である為、演奏する場を問わない本発明は、自分の音を確認しにくい野外、特に音程が不安定になる炎天下での演奏は勿論の事、屋内においてもライトの熱による影響を受けやすく、かつ周囲にいる他の演奏者の音が大きいステージ上、その他様々な状況下において必要である。【０００８】トランペット等の管楽器の中には、ベルが演奏者と反対方向へ向いている設計が数多くあり、それらは自分の音を確認し辛い。その為、演奏者が演奏者自身の出音を聞き取りやすくする為の装置が必要と考えられる。また、演奏者本人だけでなく、合奏時に他の演奏者に対しても音を聞き取りやすくすることは、互いの音を確認しやすくなることに繋がり、即ちバンド全体の演奏の質を上げる事を助長すると考えられる。【０００９】夫々の楽器の歴史は長くなる中、装着によって実際の演奏感を損なわず、かつ音質音量の変化も最小に、実際の演奏で利用可能な製品が存在しない為、演奏者が自分の音を聞き取りやすくする為の装置を提供することを目的とした。
【課題を解決する為の手段】
【００１０】金管楽器のモニタリングを改善する器具を実用化する為には、多くの特性が要求される。まず要求されるのは、装置の装着によって発生する重さや音色の違和感を極力少なくする事である。音楽は芸術であり、繊細な表現を可能とする故、質量や重心がなるべく変わらない事はとても大事な要素である。そして、素材に高い見栄えも求められる。演奏時における楽器は表現者の一部であり、見た目を損なわない素材、形状、器具である事が望ましい。これらを解決することにより、実際の演奏時においてモニタリング装置を装着する事ができる。
【発明の効果】
【００１１】請求項１の発明は、金管楽器及び木管楽器のベル部分に差し込む形で装着する仕組みを使用したモニタリング装置である。発明は図１〜５においての１１〜１４部分のようにコルク等の摩擦係数の高いものを使用する事で接合でき、様々な外径の管楽器本体に装着可能であり、出音方向の音の一部を湾曲部にて反射させる事を特徴とする管楽器の演奏補助、モニタリング補助器具である。請求項１の発明は、即ち出音部分であるベル部分の中心軸方向に挿入し、音の通り道である部分を一定量以上遮らないように穴をあけてあり、その部においてコルクを含めた接着性が低く、かつ安定するものを使用する事で、楽器本体の材質や表面処理、外径、湾曲率にとらわれず固定でき、固定部を含めた装置の部位によって音の方向を演奏者側に変化させる事ができる管楽器の演補助、モニタリング補助器具である。
【００１２】請求項２の発明は、耐久性を考慮し、必要な機能だけを残した設計をする事でできる限り軽量にする事で、コルク等の摩擦係数が高くクッション性のものであれば装着でき、厚さや貼付け場所を変化させる事により様々な外径の管楽器本体に装着可能である。
【００１３】請求項３の発明は、演奏者が演奏時において装着前後の段階で、音程と音色の変化を極力最小限に止めておくことが好ましい為、楽器本来の音の鳴りへの支障が極力抑えられるように、材質は楽器と同じ材質、又はそれに近いものから成るとされる。トランペットやトロンボーン等の金管楽器の殆どは、ラッカー仕上げ、或はメッキ加工されているものが多い為、発明の塗装も楽器に準ずるものとする。または、パフォーマンス性やアーティスト性を兼ね備えた意味において、装着感を損なわないように軽量かつ透明であるアクリル系（図６）、また、その他必要である場合においては、デザインとして装飾された表面処理もアーティストという観点から使用できるモニタリング補助器具である。
【００１４】請求項４の発明は、演奏者による呼気やバルブ操作に応じて発する音を、演奏者本人に無理なくスムーズに返し、かつ発生部内部へ逆流させないことを考慮し、本発明の表面またはその端は、きれいな曲面で作成されていることを特徴とする。図２，４，５においての１５〜１７のカーリング部分は、演奏者によって発せられた音を演奏者方向へ反射させる為に適度な湾曲率で設計されている。
【００１５】請求項５の発明は、発明の装着による楽器内部から発せられる本来の音の方向の減少を、最小限に抑えていることを特徴としている。管（管材）の中心軸を通らない面で、ベル部分の内側に接着する面において、互いに対向する箇所にコルク等を設けて脱着自在の接合端面部とし、テーパー形状である様々な外径の管楽器本体のベル部分の内側表面と、本発明の取付け部位の表面が沿うように装着される。図１〜５においての１１〜１４のコルク等の装着部材は互いに平行な方向に発明に接着され、管楽器本体と発明との接触を保つことが可能である。
【００１６】テーパー形状を含む種々の外径や形状の管楽器に装着することにより、演奏時の音を無理なく反射させ、通常より演奏者本人の発する音を多く演奏者に戻すことができる。また、同時に横方向、後方向等の他の演奏者にも楽器音が聞こえることを特徴とする為、アンサンブル表現や音程等をより良いものとする機能を有する器具を提供することができる。
【００１７】発明の接合部のテーパー状の長さは、接合による隙間をその楽器のテーパー形状のおおよそ平均値と並行になるように設計をし、殆どのテーパー形状に対応できるよう中間部を絞って設計されている。多少の位置調整は前述の接合部分に使用しているコルク等の部材の厚みや位置により調整が可能である。図２，３，５においての１５，１６，１７は装置による音の戻りをスムーズにする為、先端は演奏者に対して垂直方向に向くように設計されてある。図１においての１３の屈折部の内径は、接合部材の厚みにベル部分の厚みを足した値以上を半径としている。同じ体積以上の空気流量が稼げるのでスムーズな屈折を得られる。Ｒ値が大きすぎる場合、Ｒ形状を保つ為に最大外形が大きくなりすぎてしまう事、横方向への排出ができなくなってしまうことがあげられる為上記設計としている。図２，３においての１８、１９は側面方向へ逃す為にも延長はせずＲ形状にてとどめている。
【００１８】請求項５の発明は、図２，４においての１９，２０である解放面積を大きく取り、楽器内部から演奏者によって発せられる本来の実音の音色、音程、音量変化を必要に応じて抑えていることを特徴とするそれにより楽器内部から発せられる本来の外向きの出音量と演奏者への戻し量を調整できる設計となっている。管（管材）の中心軸を通る方向と前記した解放面積によって、演奏者によって発せられた音が本来の音の方向へと進むと同時に、図２，３，５においての１５，１６，１７のベルカーリング部分によって演奏者側へスムーズに反射することが可能である。
【発明を実施するための最良の形態】
【００１９】以下、本発明について詳細に説明する。本発明に使用する材質は、金属の場合は洋白またはその合金、金またはその合金、銀またはその合金、銅またはその合金、白金またはその合金から選択することができる。また、用途によりアクリル系材質から選択することもできる。【００２０】本発明の形状は、管楽器のベル部分の内側に接合し、かつ見た目の変化や出音の音量と音質変化を考慮した装置の為、テーパー状であり、前記した寸法を基本として製造するものとする。演奏者による呼気やバルブ操作に応じて発する音を、演奏者本人に無理なくスムーズに返すことができる為、本発明の表面またはその端は、きれいな曲面で作成されていることを特徴とする。図２，３，５においての１５，１６，１７のカーリング部分は、演奏者によって発せられた音を演奏者方向へ反射させる為に適度な湾曲率で設計されている。【００２１】本発明は、素材によりラッカー、メッキ等を施すことができる。メッキをする金属として、銅、ニッケル、銀、金、白金のうち１種または複数を選択できる。メッキ以外としては、本発明は装着されている事を目立たせないよう、または着色や装飾を可能とする為に透明であるアクリル系、また色つきや装飾する事のできるＡＢＳ等の非金属材料も可能とする。【００２２】本発明の厚さは、アクリルを例に出す場合は２．５ｍｍを基準とする。厚みが２．５ｍｍより大きい場合は質量が大きくなり過ぎ固有共鳴振動数や演奏者への不都合が生じる。また、厚みが２．５ｍｍ未満の場合は耐久強度が弱くなりすぎてしまう。また、質量は同じくアクリルの基準を約４０ｇとし、ベル内部において極めて小さな接点によって取り付けが可能であること、楽器本体の質量を楽器演奏に支障がある程極端に増幅させず、実際の演奏時に利用できる外観を持つ事、出音の一部を反射させる事で、演奏時の自分の音を確実に確認できる事を特徴とする。ただし楽器のサイズにより厚み及び質量は演奏者に影響のない範囲で作成できるものであれば基準値を前後しても構わないものとする。【００２３】本発明は、鋳造、切削またはプレス加工により製造することができる。用途に応じていずれの製造法を用いても構わない。【００２４】本発明は、初級者においては楽器演奏の上達を図る目的で、中級、上級者においては音色を改善する為、または周囲とのアンサンブル向上に使用できる。管（管材）の中心軸を通らない面で互いに対向する各々の分割端面部にコルク等を設けて脱着自在に装着することができる。さらに、外観、メッキ等を工夫することにより、装着した際の外観を悪くすることがない。
【産業上の利用可能性】
【００２５】本発明の演奏支援装置は、金管楽器だけでなく、装着可能であれば木管楽器等の演奏時の音を反射させることによって演奏者本人の発する音を通常より多く演奏者に戻すことができる。その為表現や音程等をより良いものとする為に使用することができる。
【図面の簡単な説明】
【００２６】
【図１】本発明の中心軸方向から、本発明の表方向に対して右斜め４５度から本発明を示す図である。
【図２】本発明の中心軸において平行方向から本発明を示す図である。
【図３】本発明の中心軸方向において平行方向に本発明と管楽器を装着した様子を示す図である
【図４】本発明の中心軸において垂直方向から本発明を示す図である。
【図５】発明の音の流れを示した図である。
【符号の説明】
【００２８】１、２、３、４、５・・・本発明である管楽器の演奏支援装置
６、７、８、９、１０・・・中心軸
１１、１２、１３、１４・・・コルク等装着部材
１５、１６、１７・・・ベルのカーリング部
１８、１９・・・折り返し部位
２０、２１・・・解放部
【図１】
2013076962.tif 000003
【図２】
2013076962.tif 000004
【図３】
2013076962.tif 000005
【図４】
2013076962.tif 000006
【図５】
2013076962.tif 000007